(57)【要約】【課題】ユーザがより容易に操作できる機能実行装置および機能実行方法を提供すること。【解決手段】複数の機能の中からユーザが指示した機能を実行する機能実行装置１であって、ユーザが操作すると共に、当該操作に沿って操作信号を出力する操作部２と、操作信号を受信すると共に、上記複数の機能の中から少なくとも１つの機能を選択的に実行する制御部６と、それぞれの時間毎に上記複数の機能の少なくとも１つが関連付けられているタイムテーブル１１を有する記憶部７と、を具備し、制御部７は、操作信号を受信する時間に基づき、上記タイムテーブル１１から対応する機能を選択し、機能を実行するものとしている。【選択図】図４
2010061557.tif 000002
【特許請求の範囲】
【請求項１】
複数の機能の中からユーザが指示した機能を実行する機能実行装置であって、
ユーザが操作すると共に、当該操作に沿って操作信号を出力する操作部と、
上記操作信号を受信すると共に、上記複数の機能の中から少なくとも１つの機能を選択的に実行する制御部と、
それぞれの時間毎に上記複数の機能の少なくとも１つが関連付けられているタイムテーブルを有する記憶部と、を具備し、
上記制御部は、上記操作信号を受信する時間に基づき、上記タイムテーブルから対応する機能を選択し、当該機能を実行することを特徴とする機能実行装置。
【請求項２】
請求項１に記載の機能実行装置において、
前記操作部は、ハードウェアボタンであることを特徴とする機能実行装置。
【請求項３】
請求項１または請求項２に記載の機能実行装置において、
前記タイムテーブルが有する時間および機能の少なくとも一方は、ユーザが、別途記憶部に記憶させることを特徴とする機能実行装置。
【請求項４】
請求項１から請求項３のいずれか１項に記載の機能実行装置において、
前記制御部は、前記タイムテーブルを参照することなく起動させた機能および当該機能を起動した時間の少なくとも１つを、前記タイムテーブルに書き込むことを特徴とする機能実行装置。
【請求項５】
請求項１から請求項４のいずれか１項に記載の機能実行装置において、
前記機能には、ナビゲーション機能が含まれていて、
前記制御部は、上記ナビゲーション機能の起動開始から、上記制御部が操作信号を受信するまでの時間に応じて前記タイムテーブルから前記機能を選択し、当該機能を実行することを特徴とする機能実行装置。
【請求項６】
請求項１から請求項４のいずれか１項に記載の機能実行装置において、
さらに、当該機能実行装置の現在位置を検出位置として検出するための位置検出部を有し、
前記制御部は、ユーザの設定した目標位置が、現在位置である場合には、タイムテーブルから前記機能を選択しないことを特徴とする機能実行装置。
【請求項７】
複数の機能の中からユーザが指示した機能を実行する機能実行方法であって、
操作部からの操作信号を制御部が受信する受信ステップと、
それぞれの時間毎に上記複数の機能の少なくとも１つが関連付けられているタイムテーブルから、上記操作信号を受信した時間に基づき対応する機能を選択し、当該機能を実行する実行ステップと、を有する機能実行方法。
【発明の詳細な説明】
【技術分野】
【０００１】
本発明は、機能実行装置および機能実行方法に関する。
【背景技術】
【０００２】
パーソナルコンピュータ、ナビゲーション装置あるいは携帯電話等の電子機器等において、ユーザが指示を入力するために、いわゆる押ボタンが、操作部として設けられている機能実行装置がある。また、その押ボタンを押圧することで、押ボタンに対応する機能を実行できる機能実行装置がある（例えば、特許文献１を参照）。
【０００３】
【特許文献１】特開２００４−０７８８８８号公報（要約書）
【発明の開示】
【発明が解決しようとする課題】
【０００４】
上述の機能実行装置では、電子機器の機能が増加するに従って、押ボタン数を増やす必要がある。しかし、機能実行装置の操作面の面積に配置できる押ボタン数が限られているという問題がある。さらに、各機能別に押ボタンが存在するため、ユーザは、機能毎に異なる押ボタンを操作する必要があり、煩雑である。
【０００５】
そこで、本発明は、上記課題を解決すること、すなわち、ユーザがより容易に操作できる機能実行装置および機能実行方法を提供することを目的とする。
【課題を解決するための手段】
【０００６】
上記課題を解決するために、本発明の機能実行装置の１側面は、複数の機能の中からユーザが指示した機能を実行する機能実行装置であって、ユーザが操作すると共に、操作に沿って操作信号を出力する操作部と、操作信号を受信すると共に、複数の機能の中から少なくとも１つの機能を選択的に実行する制御部と、それぞれの時間毎に複数の機能の少なくとも１つが関連付けられているタイムテーブルを有する記憶部と、を具備し、制御部は、操作信号を受信する時間に基づき、タイムテーブルから対応する機能を選択し、機能を実行するものとしている。
【０００７】
また、本発明の機能実行装置の１側面は、上述の発明に加えて、操作部は、ハードウェアボタンとしている。
【０００８】
また、本発明の機能実行装置の１側面は、上述の発明に加えて、タイムテーブルが有する時間および機能の少なくともいずれか１方は、ユーザが、別途記憶部に記憶させるものとしている。
【０００９】
また、本発明の機能実行装置の１側面は、上述の発明に加えて、制御部は、タイムテーブルを参照することなく起動させた機能およびその機能を起動した時間の少なくとも１つを、タイムテーブルに書き込むものとしている。
【００１０】
また、本発明の機能実行装置の１側面は、上述の発明に加えて、ナビゲーション機能を有し、制御部は、ナビゲーション機能の起動開始から、制御部が操作信号を受信するまでの時間に応じてタイムテーブルから機能を選択し、機能を実行するものとしている。
【００１１】
さらに、本発明の機能実行装置の１側面は、上述の発明に加えて、機能実行装置の現在位置を検出位置として検出するための位置検出部を有し、制御部は、ユーザの設定した目標位置が、現在位置である場合には、時間に応じてタイムテーブルから機能を選択しないものとしている。
【００１２】
さらに、本発明の機能実行方法の１側面は、複数の機能の中からユーザが指示した機能を実行する機能実行方法であって、操作部からの操作信号を制御部が受信する受信ステップと、それぞれの時間毎に複数の機能の少なくとも１つが関連付けられているタイムテーブルから、操作信号を受信した時間に基づき対応する機能を選択し、その機能を実行する実行ステップと、を有するものとしている。
【発明の効果】
【００１３】
本発明によれば、ユーザがより容易に操作できる機能実行装置および機能実行方法を提供することができる。
【発明を実施するための最良の形態】
【００１４】
（第１の実施の形態）
以下、本発明の一実施の形態に係る機能実行装置について、図１〜５を参照しながら説明する。
【００１５】
図１は、本発明の機能実行装置の１実施の形態に係る音響装置１の操作面側から見た平面図である。また、図２は、音響装置１の構成を説明するブロック図である。
【００１６】
音響装置１は、ラジオ放送等の音声信号を受信し、受信した音声信号を音声として再生する装置である。音響装置１は、ユーザが指示を入力するための操作部として、ボタン２、および表示部５が操作面側に露出している。また、音響装置１は、ボタン２、表示部５、制御部６および記憶部７を主な構成要素としている。ボタン２、表示部５、記憶部７および外部のスピーカ９（不図示）は、制御部６にそれぞれ接続されている。
【００１７】
操作部としてのボタン２は、物理的にＯＮ―ＯＦＦの切り替えが可能なハードウェアスイッチである。ユーザが、ボタン２を押し込むことにより、各ボタン２に対応する入力指示を、制御部６に与える。例えば、ボタン２を押し込むことで、機器内部側であってボタン２の裏側に配置されている接点が、基板側の導電部に接触して電流が流れる。すなわち、制御部６に電気信号が入力信号として送出される。一方、ボタン２から指を離すと、接点が離間することにより、いわゆる、スイッチがＯＦＦの状態になるので、入力信号が制御部６に送出されない。
【００１８】
表示部５は、液晶ディスプレイ等によって構成される。また、表示部５は、制御部６に接続されている。したがって、表示部５は、制御部６からの制御指令に基づいて、文字あるいは画像等を表示できる。
【００１９】
制御部６は、各入力信号および出力信号の処理を行う。また、制御部６は、音響装置１の制御を行うＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）等を備えていることが好ましい。ＲＡＭは、ＣＰＵからの制御指令に基づいて、情報を一時的に記憶する、あるいはＣＰＵのワークメモリとして使用される。ＲＯＭは、ＣＰＵが各部を制御するための制御プログラムおよび各定数が記憶されている。ＣＰＵは、ＲＯＭに記憶されている制御プログラムを読み出して、実行することにより作動する。たとえば、ボタン２が押し下げられた場合には、これらのボタンからの入力信号を受け取る。そして、後述するように、記憶部７からのタイムテーブルに基づき、制御部６が各部を制御する。
【００２０】
記憶部７は、各種情報、データまたはプログラム等のいずれか１つあるいは複数を記憶しておく部分であり、ＨＤＤ（Ｈａｒｄ  Ｄｉｓｋ  Ｄｒｉｖｅ）、フラッシュメモリ、ＲＯＭおよびＲＡＭ等の中から１つあるいは複数を採用できる。記憶部７は、制御部６が各部を制御するための制御プログラムおよび各定数を記憶したり、各種デバイスとの通信情報を一時的に記憶したりできる。各プログラムおよび情報が格納されている場所は、英数字を組み合せたアドレスにより特定される。すなわち、アドレスがあれば、記憶部７すべてを検索することなく、所望のプログラムあるいは情報にアクセスできる。また、記憶部７は、時刻あるいは時間を機能データに変換するためのタイムテーブル１１を記憶している。なお、記憶部７が追加データの書き込みが可能な追加記憶領域を有する場合には、タイムテーブル１１等の情報を更新することができる。
【００２１】
図３は、本実施の形態において、記憶部７が有するタイムテーブル１１を説明するための図である。
【００２２】
タイムテーブル１１では、大きく分けて、時間が機能に関連づけられている。本実施の形態では、時間を表す項目として、当該時間の開始時刻を示す「開始時刻」および当該時間の終了時刻を示す「終了時刻」の項目を有する。また、機能を表す項目として、何の機能であるかを示す「機能の説明」およびプログラムの位置を示す「アドレス」の項目を有する。「アドレス」の項目には、プログラムが格納されている位置を示すアドレスが記載されている。また、そのアドレスにて指定された場所には、「機能の説明」で説明されている機能を実行するためのプログラムが格納されている。
【００２３】
次に、第１の実施の形態の動作について説明する。
【００２４】
図４は、音響装置１の動作を時間軸に沿って説明するための説明図である。図５は、音響装置１の動作の流れを説明するためのフローチャートである。
【００２５】
まず、音響装置１の電源をＯＮにする。たとえば、ユーザが、午前６時５０分にボタン２を押し込むと、ボタン２から入力信号が制御部６に送出される。すなわち、制御部６は、ボタン２から入力信号を受け取る（ステップＳ１０１；受信ステップ）。
【００２６】
次に、制御部６は、タイムテーブル１１に記載された時間（入力信号を受け取った時刻を含む）に関連付けられたアドレスを読み取り、当該アドレスに格納されるプログラムを実行する（ステップＳ１０２；実行ステップ）。
【００２７】
たとえば、制御部６が入力信号を受け取った時刻が、午前６時５０分である場合、その時間帯は、図４に示すように午前６時５０分から午前７時までとなる。したがって、制御部６は、午前６時５０分から午前７時までの時間に関連付けられている「アドレス」欄のアドレス＊Ａに格納されているプログラムを実行する。＊Ａには、所望のラジオチャンネルの音声を出力するためのプログラムが格納されているので、＊Ａに格納されたファイルを制御部６が実行すると、所望のラジオチャンネルの音声がスピーカ９から出力される。したがって、午前６時５０分にボタン２が押されると、所望のラジオチャンネルに切替えることができる。
【００２８】
同様に、たとえば、ユーザが、午前７時から午前７時５分の間にボタン２を押した場合には、野球ニュースチャンネルの音声が、スピーカ９等より出力される。さらに、午前７時５分から午前７時７分までの間に、ユーザがボタン２を押した場合には、サッカーニュースチャンネルの音声がスピーカ９等より出力される。そして、午前７時７分から午前７時７分から午前７時１０分までの間に、ユーザがボタン２を押した場合には、社会ニュースチャンネルの音声が、スピーカ９等から出力される。
【００２９】
以上のような音響装置１は、ボタン２を１回押すだけで、様々なチャンネルの中から、ボタン２を押す時刻に対応したチャンネルを選択することができる。そのため、より少ないボタンを用いて操作できるものとなる。また、多数のチャンネル選択用ボタンから、所望のボタンを選ぶ必要がないため、多数のボタンの位置を覚える必要がない。さらに、所望のチャンネルに合致するまでボタンを連射する必要もないため、より簡単な操作でチャンネルを変えることが可能となる。
【００３０】
また、上述の音響装置１では、チャンネルと時間とが関連づけられているタイムテーブルとしている。したがって、ユーザが毎日の習慣としていること、例えば、所望のラジオチャンネルを聴いた後、その日の野球およびサッカーの試合情報および一般的な社会情報を収集する等の日課にあわせて、ボタン２でチャンネルを切り替えできる。
【００３１】
また、上述の音響装置１では、ボタン２が、ハードウェアボタンであるため、押圧が容易なものとなる。さらに、ハードウェアボタンは、常に位置が変わらないため、習慣的に押しやすいものとなる。
【００３２】
（第２の実施の形態）
次に、第２の実施の形態に係る、音響装置１０を説明する。なお、第２の実施の形態に係る音響装置１０は、ラジオのほかに、たとえば、内蔵ＨＤＤ等の記憶部あるいは外部記憶媒体に記憶された楽曲等を再生できる。第２の実施の形態に係る音響装置１０の動作は、第１の実施の形態に係る音響装置１０と同様である。音響装置１０において、第１の実施の形態と共通部分については、同一の符号を付すと共に、その説明を省略または簡略化する。
【００３３】
図６は、第２の実施の形態に係る音響装置１０の記憶部７が有するタイムテーブル２１を説明する図である。
【００３４】
音響装置１０において、タイムテーブル２１は、ユーザが、本発明の機能実行方法を用いずに、過去に選択した機能および時間を記憶する。たとえば、本発明の機能実行方法を用いずにユーザが自分で別途指定して、深夜０時から午前９時まで、内蔵ＨＤＤの音楽を聴いたとする。すると、制御部６は、深夜０時から午前９時までの時間と内蔵ＨＤＤの楽曲を聴く機能とを、記憶部７のタイムテーブル２１に記憶する。具体的には、「開始時刻」の欄に深夜０時と記載し、「終了時刻」に午前９時と記載する。そして、「機能の説明」の欄に、内蔵ＨＤＤの音楽を聴く旨を記載する。そして、「アドレス」の欄に、内蔵ＨＤＤの音楽を出力するためのプログラムが格納されているファイルのアドレスを記載する。したがって、タイムテーブル２１にそれらの情報が記憶された後、ユーザが午前７時にボタン２を押すと、制御部６は、内蔵ＨＤＤの楽曲演奏を開始するためのプログラムを実行する。すなわち、制御部６は、内蔵ＨＤＤの楽曲演奏を開始する。
【００３５】
上述の音響装置１０を用いると、ユーザが別途タイムテーブル２１に操作内容を記憶させるという作業なく、タイムテーブル２１を作成できるものとなる。なお、上述の音響装置１０において、内蔵ＨＤＤの各楽曲には、ジャンルおよびアーティスト等のタグ情報が付されていてもよい。その場合には、制御部６は、そのタグ情報に相当する分類の楽曲演奏開始するようにしてもよい。
【００３６】
（第３の実施の形態）
次に、第３の実施の形態に係る機能実行装置の１例として、ナビゲーション装置１００について説明する。なお、第３の実施の形態に係るナビゲーション装置１００において、第１の実施の形態と共通部分については、同一の符号を付すと共に、その説明を省略または簡略化する。
【００３７】
本実施の形態において、ナビゲーション装置１００は、車載用であり、自車の現在位置を検出すると共に、進行方向、あるいは走行状態等に関する情報を得る。また、ナビゲーション装置１００は、記憶領域に記憶されている地図情報に基づいて自車の現在位置と地図上の道路とをマッチングさせ、表示部５に表示された地図上に自車の現在位置を表示する。さらに、ユーザが所望する目的地まで、経路を案内する機能を有するものである。
【００３８】
図７は、ナビゲーション装置１００の構成を説明するためのブロック図である。
【００３９】
ナビゲーション装置１００は、本体１０１、ＧＰＳ受信部１０２および表示部５を備える。本体１０１は、ボタン２、制御部６０、記憶部７０を備える。また、ボタン２、ＧＰＳ受信部１０２、記憶部７０および表示部５は、制御部６０に接続されている。
【００４０】
ＧＰＳ受信部１０２は、位置検出部として機能する。具体的には、ＧＰＳ受信部１０２は、複数のＧＰＳ衛星（不図示）からの電波を受信し、受信した電波に重畳されている時刻情報を抽出する。そして、それぞれの電波の到達時間差から、ナビゲーション装置１００の現在の位置情報（例えば、緯度情報および経度情報）を検出できる。得られた位置情報は、制御部６０に出力される。なお、位置検出部として、ＧＰＳ受信部１０２以外のものを用いてもよい。たとえば、加速度センサー等を用いてもよい。
【００４１】
制御部６０は、各種情報の処理および計算を行い、ナビゲーション装置１００の制御を行う制御部である。また、制御部６０は、記憶部７０に記憶されている地図情報を読み出し、表示部５に表示させる、あるいは、他の情報を重ねて投影するための画像処理部を備えている。
【００４２】
記憶部７０は、第１の実施の形態および第２の実施の形態の記憶部７と同様に、各種情報、データまたはプログラム等のいずれか１つあるいは複数を記憶する。記憶部７０は、制御部６が各部を制御するための制御プログラムおよび各定数に加えて、地図情報およびタイムテーブル３１等を記憶している。
【００４３】
図８は、ナビゲーション装置１００の記憶部７が有するタイムテーブル３１を説明する説明図である。
【００４４】
タイムテーブル３１は、第１の実施の形態および第２の実施の形態と同様に、主に時間と機能とが関連づけられている。タイムテーブル３１の時間を表す項目には、「開始時刻」および「終了時刻」の他に、「平日または休日」の項目を有する。したがって、時刻だけではなく、平日と休日の生活習慣の違いにも対応できる。また、機能を表す項目としては、第１の実施の形態および第２の実施の形態と同様に、「機能の説明」および「アドレス」の項目を有する。
【００４５】
次に、ナビゲーション装置１００の動作について説明する。
【００４６】
ナビゲーション装置１００の電源がＯＮになっている状態で、ユーザが、平日の午前８時にナビゲーション装置１００のボタン２を押すと、制御部６は、ボタン２より入力信号を受信する。具体的には、入力信号を受信した時刻が午前８時であるため、平日の午前７時から午前９時の時間に対応付けられたアドレスに存在するファイルを実行する。平日の午前７時から午前９時の時間に対応付けられたアドレスのファイルには、自宅から職場までの経路案内および渋滞情報を提供するためのプログラム等が格納されている。すなわち、平日の午前８時にナビゲーション装置１００のボタン２を押すと、自宅から職場までの経路案内および渋滞情報の提供が開始される。
【００４７】
同様に、ユーザが平日の午前９時から午後５時までの間にボタン２を押すと、制御部６は、現在位置表示および渋滞情報を提供する。また、ユーザが平日の午後５時から午後９時までの間にボタン２を押すと、制御部６０は、職場から自宅までの経路案内および渋滞情報を提供する。さらに、ユーザが平日または休日の午後９時以降にボタン２を押すと、制御部６０は、現在位置表示および周辺施設情報の提供を行う。
【００４８】
以上のようなナビゲーション装置１００は、様々な機能の中から、必要な機能を簡単な操作で選択することができる。特に、ナビゲーション装置１００は、現在位置表示と渋滞情報、あるいは目的地情報と周辺施設情報等、複数の機能を組み合せて用いる場合がある。しかし、ナビゲーション装置１００は、習慣的に用いる機能を簡単な操作で呼び出すことができる。
【００４９】
（第４の実施の形態）
次に、第４の実施の形態に係る機能実行装置の１例として、ナビゲーション装置２００について説明する。なお、ナビゲーション装置２００において、第１〜３の実施の形態と共通部分については、同一の符号を付すと共に、その説明を省略または簡略化する。
【００５０】
ナビゲーション装置２００は、ナビゲーション装置１００と同様の構成を有している。しかし、ナビゲーション装置２００は、タイムテーブル３１の他に、ナビゲーション装置２００において設定した目的地に到達すると、所望の機能を提供するようなプログラムを有している。
【００５１】
図９は、ナビゲーション装置２００の動作の流れを示すフローチャートである。
【００５２】
まず、ユーザがボタン２を押圧すると、制御部６０が入力信号を受信する（ステップＳ４０１；受信ステップ）。
【００５３】
次に、制御部６０は、ナビゲーション装置２００において設定された目的地と現在地とが異なるか否かを判定する（ステップＳ４０２；判定ステップ）。目的地と現在地とが異なる場合（ステップＳ４０２においてＹＥＳの場合）には、制御部６は入力信号を受信した時刻が含まれるようなタイムテーブル３１の時間に関連づけられたアドレスのプログラムを実行する（ステップＳ４０３；実行ステップ）。
【００５４】
たとえば、制御部６０が平日の午前８時に入力信号を受信した場合、制御部６０は、平日の午前７時から午前９時迄の時間帯に対応付けられたアドレスに存在するファイルを実行する。
【００５５】
一方、ステップＳ４０２において、目的地と現在地が一致している場合（ステップＳ４０２においてＮＯの場合）には、制御部６０は、ステップＳ４０１へ戻る。
【００５６】
以上のようなナビゲーション装置２００では、時刻だけではなく、目的地に達したか否かで、時間に対応つけられた機能の実行可否を選択できる。たとえば、上述の実施の形態において、午前８時の時点でユーザが自宅から職場に既に到着しているのにユーザがボタン２を押した場合、ステップＳ４０２において否定的な判定（ＮＯ）がなされる。そのため、職場に到着しているのに、再度自宅から職場までの案内をすることがない。なお、目的地に達しているかだけではなく、他の要素で判定するものとしてもよい。たとえば、燃料残量あるいは走行距離等に応じて判定されるようなものとしてもよい。
【００５７】
以上、本発明の各実施の形態について説明したが、本発明は上述の形態に限定されることなく、種々変形した形態にて実施可能である。たとえば、第１の実施の形態では、ラジオ放送等の音声信号を受信するものとしたが、いわゆるＦＭ（Ｆｒｅｑｕｅｎｃｙ  Ｍｏｄｕｌａｔｉｏｎ）放送やＡＭ（Ａｍｐｌｉｔｕｄｅ  Ｍｏｄｕｌａｔｉｏｎ）放送などの放送に限定されず、インターネットラジオによるストリーミング音声等を含む。
【００５８】
また、上述の実施の形態では、ボタン２は、ハードウェアボタンであるものとしたが、このようなものに限らない。例えば、いわゆるタッチパネルのように、機械的な動作を伴わない入力装置を採用しても良い。その場合には、表示部５をいわゆるタッチパネルとして構成してもよい。
【００５９】
また、第２の実施の形態において、ユーザが別途タイムテーブル２１に入力しなくてもタイムテーブル２１が形成される形態を例示したが、このような形態に限らない。ユーザが、タイムテーブル２１を別途入力するような形態としてもよい。その場合には、ハードウェアボタンにより入力するものであってもよいし、ユーザの音声を認識するようなシステムの場合、音声対話によって、タイムテーブル２１を作成するようなものとしてもよい。
【００６０】
また、第２の実施の形態において、ユーザが、第１の実施の形態に係る機能実行方法を用いずに過去に選択した機能および時間を記憶するものとしたが、機能および時間のどちらか一方のみを記憶するようなものとしてもよい。また、１回のみ選択した機能を記憶せずに、複数回選択した場合にのみ記憶するようなものとしてもよい。
【００６１】
また、上述の各実施の形態において、ボタン２からの入力信号により、制御部６あるいは制御部６０が、タイムテーブル１１、タイムテーブル２１あるいはタイムテーブル３１（以後、タイムテーブル１１、２１、３１という。）を参照するものとしたが、このようなものに限らない。たとえば、音声を認識するようなシステムの場合、音声認識をトリガとするものとしてもよい。また、走行距離、走行位置あるいは再生曲数等、他の要因をトリガとしてもよい。
【００６２】
また、上述の各実施の形態において、制御部６あるいは制御部６０は、ボタン２からの入力信号を受信した時刻と、タイムテーブル１１、２１、３１に記憶された時間とを比較するものとしている。しかし、このような形態に限らない。たとえば、ボタン２を押圧し続けた時間と、タイムテーブル１１、２１、３１に記憶された時間とを比較するようにしてもよい。あるいは、音響装置１、音響装置１０、ナビゲーション装置１００あるいはナビゲーション装置２００を起動してからの時間や、ある機能を起動させてからの時間と対応させてもよい。
【００６３】
また、第３の実施の形態および第４の実施の形態において、ナビゲーション装置１００およびナビゲーション装置２００は、車載用のナビゲーション装置としたが、車載用に限らず、どのような移動体にも適用できる。たとえば、徒歩の人が用いるようなものでもよいし、船舶、飛行体等の移動物すべてに適用できる。
【図面の簡単な説明】
【００６４】
【図１】本発明の第１の実施の形態に係る機能実行装置としての音響装置の操作面を表す平面図である。
【図２】図１の音響装置の構成を示すブロック図である。
【図３】図１の音響装置が有する記憶部が保有するタイムテーブルを示す説明図である。
【図４】図１の音響装置の動作を、時間軸に沿って説明する説明図である。
【図５】図１の音響装置の動作を説明するためのフローチャートである。
【図６】本発明の第２の実施の形態に係る音響装置のタイムテーブルの一例を示す説明図である。
【図７】本発明の第３の実施の形態に係るナビゲーション装置の構成を示すブロック図である。
【図８】本発明の第３の実施の形態に係るナビゲーション装置のタイムテーブルの一例を示す説明図である。
【図９】本発明の第４の実施の形態に係るナビゲーション装置の動作の流れを示すフローチャートである。
【符号の説明】
【００６５】
１，１０…音響装置（機能実行装置）、２…ボタン（操作部）、１１，２１，３１…タイムテーブル（タイムテーブル）、６，６０…制御部（制御部）、７，７０…記憶部（記憶部）、１００，２００…ナビゲーション装置（機能実行装置）
【図１】
2010061557.tif 000003
【図２】
2010061557.tif 000004
【図３】
2010061557.tif 000005
【図４】
2010061557.tif 000006
【図５】
2010061557.tif 000007
【図６】
2010061557.tif 000008
【図７】
2010061557.tif 000009
【図８】
2010061557.tif 000010
【図９】
2010061557.tif 000011